(57)【要約】【課題】  ベランダにおいて、比較的長い物干し竿を使用することで、数多くの洗濯物を干したり、風通しを良くできるようにし、不使用時には、通路を大きく確保し、また使用時と不使用時の展開、収納操作が容易に行えるようにする。【解決手段】  ベランダの外壁２の裏側（通路側）に、一対の支持パイプ３を所定の水平間隔で軸方向を縦向きに取り付け、それぞれの支持パイプ３に、略Ｌ字型パイプ４の垂直部４ａを回動可能に嵌合させるとともに、水平部４ｂの上部に、リング部材５を縦軸周りに回動可能に設ける。そして左右の略Ｌ字型パイプ４の対向するリング部材５間に物干し竿６を挿通させ、一方側の略Ｌ字型パイプ４を回動させれば、物干し竿６を介して他方側の略Ｌ字型パイプ４が同期して自動的に回動するようにする。【選択図】        図１
0003116229.tif 000002
【実用新案登録請求の範囲】
【請求項１】
ベランダに取り付けられる物干し具であって、ベランダの外壁または手摺りに対して所定の水平間隔で、且つ軸方向を縦向きに取り付けられる一対の支持筒と、これら支持筒に回動可能に嵌合する一対の略Ｌ字型部材を備え、この略Ｌ字型部材は、前記支持筒に回動可能に嵌合する垂直部と、この垂直部の上端から略水平方向に延出する水平部とが略Ｌ字型形状にされるとともに、前記水平部の上部には、物干し竿を挿通させることのできるリング部材が取り付けられ、このリング部材は、前記略Ｌ字型部材の水平部に対して縦軸まわりに回動自在にされていることを特徴とする物干し具。
【請求項２】
前記一対の支持筒のうち、少なくとも一方側の支持筒の上端部には、略Ｌ字型部材を所定位置で仮位置決めするための凹所が円周方向に沿ってその一部に形成されることを特徴とする請求項１に記載の物干し具。
【請求項３】
前記一対の支持筒と一対の略Ｌ字型部材のうち、少なくとも一方側の支持筒と一方側の略Ｌ字型部材の垂直部とには、仮位置決め状態の略Ｌ字型部材を位置決めするためのピン差込み孔が位相を合わせて形成されることを特徴とする請求項１又は請求項２に記載の物干し具。
【考案の詳細な説明】
【技術分野】
【０００１】
本考案は、例えばベランダに洗濯物等を干す際、外部から目立たないようにするために好適な物干し具に関する。
【背景技術】
【０００２】
従来、バルコニーやベランダに洗濯物等を乾かすための物干し器を吊り下げることができるようした物干し具として、ベランダの手摺りや柵の横棒に取付け部材を固定的に取り付け、この取付け部材に、軸受回動板を介して水平方向に回動自在な伸縮棒部材を取り付けるとともに、この伸縮棒部材に複数の吊下げ部材を設け、この吊下げ部材に物干し器を吊り下げるような技術（例えば、特許文献１参照。）が知られている。
【特許文献１】実開平７−２０１９１号公報
【０００３】
また、ベランダ内に多数の布団や洗濯物を外方から見えにくい状態で干すことができ、しかも避難時に避難通路の邪魔にならないような物干し装置として、手摺りの支柱のベランダ側に、第１ブラケットと第２ブラケットを上下方向に取り付け、この第１、第２ブラケットに、略Ｕ字型の複数のアームの両端立上り部を回動自在に枢着することにより、ベランダの内側でアームが水平方向に回動するようにし、物干しとして使用しないときは、アームを手摺りと平行状態に回動させて避難通路を確保するようにした技術（例えば、特許文献２参照。）や、ベランダの柵等に取り付けられる取付板に、該取付板を起点として直立状態から水平位置にわたって回動自在な支持アームを枢着し、取付板と支持アームとの間に、回動途中にバネ引張り死点を有するアーム保持バネを取り付けるような技術（例えば、特許文献３参照。）なども知られている。
【特許文献２】実開平５−４４０９３号公報
【特許文献３】実開平３−４９７９５号公報
【考案の開示】
【考案が解決しようとする課題】
【０００４】
ところが、上記のような従来の技術では、ベランダで物干し具として使用しない時に通路の邪魔にならないようにするため、干すためのアーム自体を回動自在にしたり、伸縮自在にしているため、アームの長さや張り出し量が制約され、数多くの洗濯物を干したり、または、洗濯物同士の間隔を広げて風通しを良くしたりすることが困難であった。
一方、比較的長い物干し竿などを使用する場合、不使用時に邪魔にならない箇所に収納しようとすると、操作が煩わしくなりがちであった。
【０００５】
そこで本考案は、ベランダにおいて、比較的長い物干し竿を使用することにより、数多くの洗濯物を干したり、洗濯物同士の間隔を広げて風通しを良くすることができるようにし、また、不使用時には、通路を大きく確保できるとともに、使用時と不使用時の操作が容易に行えるようにすることを目的とする。
【課題を解決するための手段】
【０００６】
上記目的を達成するため本考案は、ベランダに取り付けられる物干し具において、ベランダの外壁または手摺りに対して所定の水平間隔で、且つ軸方向を縦向きに取り付けられる一対の支持筒と、これら支持筒に回動可能に嵌合する一対の略Ｌ字型部材を設け、この略Ｌ字型部材として、前記支持筒に回動可能に嵌合する垂直部と、この垂直部の上端から略水平方向に延出する水平部とを略Ｌ字型形状にするとともに、前記水平部の上部に、物干し竿を挿通させることのできるリング部材を取り付け、このリング部材を、前記略Ｌ字型部材の水平部に対して縦軸まわりに回動自在にした。
【０００７】
そして、外壁または手摺りに取り付けられる一対の支持筒に略Ｌ字型部材の垂直部を嵌合させて回動自在にし、略Ｌ字型部材の水平部上部のリング部材に物干し竿を挿通させることにより、物干し竿を使用時、不使用時とも一対の略Ｌ字型部材の水平部上に架け渡した状態で保持するようにしておく。そして、物干し具として使用するときは、少なくとも一方側の略Ｌ字型部材を開く方向（外壁等に対して略直角方向）に回動させれば、物干し竿を介してリング部材が縦軸周りに回動しつつ、物干し竿は外壁または手摺りから離れる方向に移動すると同時に、物干し竿を介して他方側の略Ｌ字型部材も開く方向に力を受け、同期して回動する。逆に、物干し具を使用しないときは、少なくとも一方側の略Ｌ字型部材を閉じる方向（外壁等と略平行方向）に回動させれば、物干し竿を介してリング部材が縦軸周りに回動しつつ、物干し竿は外壁または手摺りに近づく方向に移動すると同時に、物干し竿を介して他方側の略Ｌ字型部材も閉じる方向に力を受け、同期して回動する。
このため、使用時、不使用時の開閉操作が楽に行えるとともに、物干し具として使用するときは、物干し竿の使用によって洗濯物を広いスペースで風通しを良くして干すことができるようになる。
また、物干し具として不使用のときは、物干し竿は外壁または手摺りに近接する位置に収納されるため、ベランダ通路を広く使用できる。
【０００８】
また、本考案では、前記一対の支持筒のうち、少なくとも一方側の支持筒の上端部に、略Ｌ字型部材を所定位置で仮位置決めするための凹所を円周方向に沿ってその一部に形成した。
このような所定位置の凹所としては、略Ｌ字型部材を開いた位置（物干しとして使用する位置）に対応させて設けるようにすれば、洗濯物を干す場合に略Ｌ字型部材を開くと、略Ｌ字型部材が自動的に凹所に落ち込んで所望の位置に仮位置決めされるようになり便利である。
この際、一方側の略Ｌ字型部材の仮位置決めがなされると、自動的に他方側の略Ｌ字型部材の仮位置決めもなされるため、少なくとも一方側の支持筒の上端部だけには凹所を設けるようにするが、両方の支持筒の上端部に凹所に設けるのは任意である。
【０００９】
また、本考案では、前記一対の支持筒と一対の略Ｌ字型部材のうち、少なくとも一方側の支持筒と一方側の略Ｌ字型部材の垂直部に、仮位置決め状態の略Ｌ字型部材の位置を位置決めするためのピン差込み孔を位相を合わせて形成するようにした。
そして、仮位置決め状態で位相合わせされたピン差込み孔に位置決めピンを差込めば、略Ｌ字型部材を開いた状態で確実に位置決めすることが可能となり、風等が吹いても略Ｌ字型部材が動いたり位置が変化したりせず、安定した状態で洗濯物を干すことができる。
この場合も、一方側の略Ｌ字型部材の位置決めを確実に行えば、他方側の略Ｌ字型部材の位置決めも確実に行われるため、少なくとも一方側の支持筒と略Ｌ字型部材の垂直部にピン差込み孔を設けるようにするが、両方の支持筒と略Ｌ字型部材の垂直部にピン差込み孔を設けるのは任意である。
【考案の効果】
【００１０】
ベランダの外壁または手摺りに所定の水平間隔で一対の支持筒を取り付け、各支持筒に略Ｌ字型部材の垂直部を回動可能に嵌合させるとともに、略Ｌ字型部材の水平部にリング部材を縦軸周りに回動可能に取り付け、両方の略Ｌ字型部材の水平部のリング部材間に物干し竿を挿通させて架け渡しておけば、一方側の略Ｌ字型部材を開いたり閉じたりするだけで物干し具として使用できる状態にしたり、収納状態にすることができ、しかも操作は極めて簡単である。この際、少なくとも一方側の支持筒の上端部に略Ｌ字型部材を仮位置決めするための凹所を形成すれば、操作が一層簡単になり、また、少なくとも一方側の支持筒と略Ｌ字型部材の垂直部にピン差込み孔を形成すれば、略Ｌ字型部材が動くようなことがなく、安定した状態で使用することができる。
【考案を実施するための最良の形態】
【００１１】
本考案の実施の形態について添付した図面に基づき説明する。
ここで図１は本考案に係る物干し具をベランダの外壁に取り付けて使用する状態を示す平面図、図２は物干し具の取り付け状態の側面図、図３はリング部材の取り付け状態等の説明図、図４は支持筒の上端部の凹所の説明図である。
【００１２】
本考案に係る物干し具は、ベランダにおいて数多くの洗濯物を干したり、洗濯物同士の間隔を広げて風通しを良くすることができるようにされ、不使用時には、通路を大きく確保できるようにされるとともに、使用時の展開と不使用時の収納操作が極めて容易に行えるようにされ、また、ある程度長い物干し竿を使用できるようにされている。
【００１３】
すなわち、図１、図２に示すように、本考案の物干し具１は、ベランダの外壁２の裏側（通路側）に所定の水平間隔で取り付けられる支持筒としての一対の支持パイプ３と、この支持パイプ３に対して水平面方向に回動自在に嵌合する一対の略Ｌ字型パイプ４を備えており、この略Ｌ字型パイプ４は、支持パイプ３に回動可能に嵌合する垂直部４ａと、垂直部４ａの上端から略水平に延出する水平部４ｂを備えている。
【００１４】
そして、略Ｌ字型パイプ４の水平部４ｂには、先端部と中間部の二ヶ所にそれぞれリング部材５が縦軸まわりに回動自在に取り付けられており、左右の略Ｌ字型パイプ４の水平部４ｂ間には、それぞれ対応する箇所のリング部材５のリング内に一対の物干し竿６が挿通されている。
なお、以上のような支持パイプ３や略Ｌ字型パイプ４やリング部材５は、本実施例ではステンレス部材から構成されて錆などの発生が抑制されており、また、支持パイプ３の下端部は開口部とされ、雨水等が溜まらないようにされているが、材質等は任意である。
【００１５】
前記支持パイプ３の外壁２への取り付けは、例えば、図２に示すように、支持パイプ３に溶着等で固定した取付部材７のネジ孔７ｈにアンカーボルトなどを打ち込んで固定するようにしている。この際、本実施例では、図２に示すように、支持パイプ３の上端部が外壁２の上端部よりやや上方に位置するようにし、例えば団地の２階以上のベランダにおいては、洗濯物が外部から見えにくいようにされている。もちろん、この取付位置や取付手段等は任意である。
【００１６】
前記略Ｌ字型パイプ４は、本実施例では、一本のパイプの途中が折曲げられて垂直部４ａと水平部４ｂが構成されており、パイプ４の外径が支持パイプ３の内径よりやや小さめにされて、垂直部４ａが支持パイプ３内に回動自在に嵌合するとともに、水平部４ｂの中間位置付近に折曲げ部ｒが形成されて、折曲げ部ｒより先端側がやや下方で且つやや外側になるように折り曲げられ、洗濯物を干す際に作業し易く、また、物干し竿６の可能な限り両端部寄りを保持できるようにされている。
【００１７】
前記リング部材５は、図３（ａ）に示すように、リング部５ａと縦軸部５ｂとが溶着等で一体化され、縦軸部５ｂはネジ部材から構成されるとともに、ネジの一部が切除部ｓとして削り取られている。
一方、このリング部材５が取り付けられる略Ｌ字型パイプ４の水平部４ｂには、縦軸部５ｂが捩じ込まれるネジ孔ｎが形成されており、このネジ孔ｎに縦軸部５ｂを捩じ込んだ後、縦軸部５ｂの下端部をパイプ内下面に当接させると、図３（ｂ）に示すように、切除部ｓがネジ孔ｎの位置に位置合わせされ、リング部材５がネジ孔ｎの中で縦軸まわりに抵抗なく回動するようにされている。
【００１８】
ところで、前記一対の支持パイプ３のうち、一方側の支持パイプ３の上端部には、図４に示すような凹所ｄが円周方向の一部に形成されている。この凹所ｄは、図１に示す物干し具１を開いて洗濯物を干す場合に、略Ｌ字型パイプ４を逆ハの字の展開位置（実線で示す位置）にした場合に、略Ｌ字型パイプ４を落し込んで仮位置決めするためであり、凹所ｄの位置はそのような箇所に対応して形成され、また、略Ｌ字型パイプ４の外形形状に合わせて、略Ｌ字型パイプ４を落し込むことができるようなサイズにされている。
このため、略Ｌ字型パイプ４を閉じた状態（図１の破線）から展開した状態に回動させると、最初は略Ｌ字型パイプ４が高い位置で回動するが、展開位置まで回動すると、略Ｌ字型パイプ４は自動的に凹所ｄ内に落ち込んで嵌合し、仮位置決めされることになり、逆に閉じ方向に回動させると、回動中に略Ｌ字型パイプ４は凹所ｄから抜け出して高い位置に移動するようにされている。
【００１９】
また、一方側の支持パイプ３と略Ｌ字型パイプ４の垂直部４ａには、略Ｌ字型パイプ４が支持パイプ３上端の凹所ｄ内に落ち込んで嵌合した際、お互いに位置合わせされるピン差込み孔（不図示）が形成されており、このピン差込み孔に位置決めピン８（図１）を差込むと、略Ｌ字型パイプ４がその位置で固定できるようにされている。
また、この位置決めピン８は、本実施例の場合、略Ｌ字型パイプ４の水平部４ｂにチェーンを介して取り付けられている。
【００２０】
以上のような物干し具１の作用等について説明する。
洗濯物を干す場合、一方側の略Ｌ字型パイプ４を外側に開くと、水平部４ｂの上部には、リング部材５を介して物干し竿６が保持されているため、リング部材５が縦軸周りに回動しながら物干し竿６が外壁２から離れる方向に移動し、同時に他方側の略Ｌ字型パイプ４も開く方向に力を受けて外側に回動し、図１に示すような逆ハの字型に展開する（図１の実線位置）。この際、一方側の略Ｌ字型パイプ４が所定の位置まで開かれると、この略Ｌ字型パイプ４は凹所ｄ内に落ち込んで嵌合し、仮位置決めされるため、その状態で支持パイプ３と略Ｌ字型パイプ４のピン差込み孔に位置決めピン８を差込んで略Ｌ字型パイプ４を完全に位置決めする。
【００２１】
この状態で、物干し竿６に洗濯物を吊り下げて干すが、この要領は、通常の物干し竿に洗濯物を干す要領と同一であり、ベランダでありながら比較的広いスペースで干すことができる。
【００２２】
物干し具１を使用しない場合、ベランダ通路を確保するため、物干し具１を収納する。すなわち、一方側の支持パイプ３と略Ｌ字型パイプ４から位置決めピン８を抜いた後、この略Ｌ字型パイプ４を内側に回動させる。すると、水平部４ｂの上部の物干し竿６は、リング部材５を縦軸周りに回動させながら外壁２に近づく方向に移動し、同時に他方側の略Ｌ字型パイプ４も同期して内側に回動し収納される（図１の破線位置）。このため、ベランダ通路が大きく確保される。
そして、このような物干し具１の開閉操作は極めて容易であるため、簡単に展開したり収納したりすることができる。
【００２３】
尚、本考案は以上のような実施形態に限定されるものではない。本考案の実用新案登録請求の範囲に記載した事項と実質的に同一の構成を有し、同一の作用効果を奏するものは本考案の技術的範囲に属する。
例えば、支持パイプ３の取付け要領等は例示であり、また物干し具１の材質等も任意である。
【産業上の利用可能性】
【００２４】
ベランダに取付可能な物干し具として、比較的長い物干し竿を利用して数多くの洗濯物を風通し良く干すことができ、また、不使用時には極めて簡単な操作で収納でき、しかも、ベランダの裏側（通路側）で干すことができるため、外から見えにくくして外観性を向上させることができる。このため、特に景観を重視するような団地や共同住宅等において有用性が高い。
【図面の簡単な説明】
【００２５】
【図１】本考案に係る物干し具をベランダの外壁に取り付けて使用する状態を示す平面図
【図２】物干し具の取り付け状態の側面図
【図３】リング部材の説明図で、（ａ）はリング部材の拡大図、（ｂ）は略Ｌ字型パイプに対するリング部材の取付状態の説明図
【図４】支持筒の上端部の凹所の説明図
【符号の説明】
【００２６】
１…物干し具、２…外壁、３…支持パイプ、４…略Ｌ字型パイプ、４ａ…垂直部、４ｂ…水平部、５…リング部材、６…物干し竿、８…位置決めピン、ｄ…凹所。
【図１】
0003116229.tif 000003
【図２】
0003116229.tif 000004
【図３】
0003116229.tif 000005
【図４】
0003116229.tif 000006